(57)【特許請求の範囲】
【請求項１】
発射装置により発射された遊技球が案内される遊技領域を有した遊技盤に、識別情報を変動表示可能な表示部と当該表示部の周囲を囲むセンターフレームとを有した可変表示装置を備えるとともに、当該可変表示装置の下方に入賞手段を備え、
前記入賞手段に遊技球が入賞することに基づいて、所定条件が成立した場合には特別遊技価値が付与される遊技機であって、
前記センターフレームは、その下梁部の上面部を遊技球が転動可能に構成されるとともに、前記下梁部の上方において遊技球の転動を許容するステージ部材を備えることによって、遊技球の導入部及び導出部がそれぞれ異なる上下２層の球転動部を備え、
下層の球転動部である前記下梁部の上面部への遊技球の導入部として、当該センターフレームの周辺部に沿って遊技球を流下させつつ当該遊技球を前記下梁部の上面部へ案内可能な球案内流路を備え、
前記下梁部の上面部は、下に凸となるよう左右方向に沿って湾曲し、その左右方向略中央部において、当該下梁部の上面部からの遊技球の導出部として、遊技球を前記入賞手段の方へ誘導可能な誘導溝及び当該誘導溝の左右両側部において前方に向けて傾斜した排出傾斜部を備え、
上層の球転動部である前記ステージ部材の上面部への遊技球の導入部として、前記遊技盤面より前方へ突出した前方ステージ部を備え、
前記ステージ部材は、当該ステージ部材の上面部からの遊技球の導出部として、前方に向けて傾斜した傾斜面及び当該傾斜面の中央部において遊技球を前記入賞手段の方へ誘導可能な誘導路を備え、
前記ステージ部材から下方へ延設され、その下端部が少なくとも左右両端部近傍において前記下梁部と当接することによって前記下梁部の前側を塞ぎ、かつ、その下端部の左右方向略中央部に前記誘導溝及び排出傾斜部に対応した凹部を有することによって当該誘導溝及び排出傾斜部からの遊技球の導出を許容するとともに、前記下梁部の上面部上の遊技球を視認可能とする視認部を備え、
前記球案内流路を流下する遊技球を検出する検出手段と、前記検出手段の検出結果に基づき、所定の発光手段の発光態様を制御する発光制御手段とを備え、前記球案内流路へ遊技球が導入されたことを遊技者に報知することを特徴とする遊技機。
【請求項２】
前記球案内流路を構成する部材の少なくとも特定部位が透光性を有する樹脂により形成され、
前記特定部位に対応して前記発光手段を設置したことを特徴とする請求項１に記載の遊技機。
【発明の詳細な説明】
【０００１】
【発明の属する技術分野】
本発明は、パチンコ機等の遊技機に関するものである。
【０００２】
【従来の技術及び発明が解決しようとする課題】
従来、遊技機の一種として、遊技盤に各種中央装置（例えば表示装置等）が配設されたパチンコ機が知られている。このようなパチンコ機では、遊技盤面上を流下する遊技球を中央装置に設けられたステージ等の球転動部上へ案内し、当該球転動部上における遊技球の挙動を遊技者に視認させ、遊技者の興趣の向上が図られている。
【０００３】
近年、遊技球を球転動部上へ案内するための球案内流路を中央装置に備えたパチンコ機も見受けられる。しかし、こられの球案内流路は、単に遊技球を球転動部上へ案内する役割を果たしているだけのものが多く、そこを流下する遊技球を目で追う遊技者にとっては、他の遊技演出を見る機会が減り、結果として、遊技者にとっての興趣が低減されるおそれがあった。
【０００４】
本発明は、上述した問題に鑑みてなされたものであって、その目的は、球案内流路を構成する部分において演出を行い、遊技者にとっての興趣の飛躍的な向上を図ることのできる遊技機を提供することにある。
【０００５】
【課題を解決するための手段及び発明の効果】
上記の目的を達成するために有効な手段を以下に示す。なお、必要に応じてその作用等についても説明する。
【０００６】
手段１．遊技盤に、遊技球を流下させつつ所定部位まで案内可能な球案内流路を備えてなる遊技機であって、
前記球案内流路の少なくとも一部が、特定構成部と、当該特定構成部に連なる連接構成部とにより構成され、
前記特定構成部には、所定の第１の絵柄が付され、
前記連接構成部には、所定の第２の絵柄が付され、
前記第２の絵柄の付された部分に対応するように所定の発光手段を備えるとともに、
少なくとも前記第２の絵柄の付された部分が、前記発光手段の発光を透過できるよう透光性を有する樹脂により形成され、
前記第２の絵柄を、主体となる前記第１の絵柄に従属的なものとし、
前記発光手段の発光態様に基づき、前記球案内流路を構成する部分において、前記第１の絵柄と第２の絵柄とを関連させた動的演出を行うよう構成したことを特徴とする遊技機。
【０００７】
上記手段１によれば、球案内流路を構成する部分において、第１の絵柄と第２の絵柄とを関連させた動的演出が行われるよう構成されているため、遊技者は球案内流路を流下する遊技球を目で追いつつも、遊技演出を見る機会が増え、結果として、遊技者にとっての興趣の飛躍的な向上を図ることができる。また、球案内流路を構成する部材や発光手段等を利用して動的演出を行っているため、新たに部材や駆動機構等を設けずともよく、部品点数の増大や遊技機の構成の複雑化等を極力防止できる。なお、前記絵柄が付されることには、絵柄を象った凹凸形状が形成されることが含まれる（以下の手段について同様とする）。
【０００８】
手段２．手段１において、前記発光手段は、複数の発光体から構成され、
前記複数の発光体は、前記球案内流路に沿って列状に配設され、前記特定構成部側のものより順に発光するよう構成したことを特徴とする遊技機。
【０００９】
上記手段２によれば、上記発光手段の発光態様を動的なものとしやすく、手段１による効果がさらに高められる。さらに、主体となる上記第１の絵柄から上記第２の絵柄が出現するかのような印象を遊技者に対して与えることができ、上記動的演出をより能動的なものとし、さらなる興趣の向上を図ることができる。
【００１０】
手段３．手段１又は手段２において、前記球案内流路の少なくとも一部に設けられ、当該球案内流路を流下する遊技球を検出する検出手段と、
前記検出手段の検出結果に基づき、前記発光手段の発光態様を制御する発光制御手段とを備えたことを特徴とする遊技機。
【００１１】
上記手段３によれば、検出手段が遊技球を検出する毎に、発光手段の発光態様が制御されるため、上記演出にめりはりがでて、演出効果がさらに高められる。さらに、上記構成により、球案内流路へ遊技球が導入されたことを遊技者に報知することができ、さらなる興趣の向上を図ることができる。
【００１２】
手段４．手段１乃至手段３のいずれかにおいて、前記第１の絵柄は、所定の放出体を模したものであって、前記第２の絵柄は、前記放出体より出現する出現体を模したものであることを特徴とする遊技機。
【００１３】
上記手段４によれば、前記放出体より前記出現体が出現するような態様で上記動的演出が行われることにより、より躍動感のある演出となり、さらなる興趣の向上を図ることができる。なお、前記放出体には「龍の頭部」が含まれ、前記出現体には「炎」が含まれる。
【００１４】
手段５．遊技盤に、遊技球を流下させつつ所定部位まで案内可能な球案内流路を備えてなる遊技機であって、
前記球案内流路の少なくとも一部が、特定構成部と、当該特定構成部の下流側に連なる下流構成部とにより構成され、
前記特定構成部には、所定の生物又は物の頭部を模した絵柄が付され、
前記下流構成部には、前記頭部に連なる胴部を模した絵柄が付され、
少なくとも前記胴部を模した絵柄の付された部分が、流下する遊技球を遊技者が視認可能となるよう視認性を有する樹脂により形成され、
前記球案内流路を構成する部分において、遊技球が前記特定構成部及び下流構成部を通過することに基づき、前記頭部より飲み込まれた遊技球が前記胴部を通っていくように遊技者に視認可能となるよう構成したことを特徴とする遊技機。
【００１５】
上記手段５によれば、球案内流路を構成する部分において、所定の生物又は物の頭部より飲み込まれた遊技球が、当該生物又は物の胴部を通っていくように遊技者に視認させる演出が行われる。このため、遊技者は球案内流路を流下する遊技球を目で追いつつも、上記遊技演出を見ることができ、結果として、遊技者にとっての興趣の飛躍的な向上を図ることができる。また、球案内流路を構成する部材等を利用して上記演出を行っているため、新たに部材等を設けずともよく、部品点数の増大や遊技機の構成の複雑化等を極力防止できる。なお、前記生物又は物の頭部を模した絵柄には「龍の頭部」が含まれ、前記頭部に連なる胴部を模した絵柄には「龍の胴部」が含まれる。
【００１６】
手段６．手段５において、前記下流構成部の少なくとも一部を湾曲又は屈曲させたことを特徴とする遊技機。
【００１７】
上記手段６によれば、上記構成とすることにより、下流構成部が略直線状に形成されている場合に比べて、遊技球の流下速度をより一定に保ちつつ、遊技球を比較的低速で流下させることができる。このため、遊技球が上記胴部を通っていく様子を遊技者により視認しやすくし、上記演出をより堪能させることができ、結果として、手段５による効果をさらに高めることができる。なお、「少なくとも一部を湾曲又は屈曲させたこと」には、「蛇行させたこと」が含まれる。
【００１８】
手段７．手段５又は手段６において、前記胴部を模した絵柄が付された部分に対応するように所定の発光手段を備えたことを特徴とする遊技機。
【００１９】
上記手段７によれば、発光手段を備えることにより、遊技球の視認性を高めることができ、手段５又は手段６による効果をさらに高めることができる。
【００２０】
手段８．遊技盤に特定遊技部材を備え、
前記特定遊技部材は、遊技球を流下させつつ所定部位まで案内可能な球案内流路を当該特定遊技部材の周辺部に沿って備えてなる遊技機であって、
球案内流路は、特定構成部と、当該特定構成部の上流側に位置する上流構成部と、当該特定構成部の下流側に位置する下流構成部とを備え、
前記特定構成部には、所定の生物又は物の頭部を模した絵柄が付され、
前記上流構成部には、前記頭部より出現する所定の出現体を模した絵柄が付され、
前記下流構成部には、前記頭部に連なる胴部を模した絵柄が付され、
前記上流構成部における絵柄の付された部分に対応するように所定の発光手段を備えるとともに、
少なくとも前記上流構成部における絵柄の付された部分が、前記発光手段の発光を透過できるよう透光性を有する樹脂により形成され、
前記発光手段の発光態様に基づき、前記球案内流路を構成する部分において、前記頭部より前記出現体が出現する又は出現しているように遊技者が視認できるよう構成したことを特徴とする遊技機。
【００２１】
上記手段８によれば、球案内流路を構成する部分において、生物又は物の頭部を模した絵柄より前記出現体が出現する又は出現しているように遊技者に視認させる演出が行われるよう構成されているため、遊技者は球案内流路を流下する遊技球を目で追いつつも、遊技演出を見る機会が増え、結果として、遊技者にとっての興趣の飛躍的な向上を図ることができる。また、球案内流路を構成する部材や発光手段等を利用して上記演出を行っているため、新たに部材や駆動機構等を設けずともよく、部品点数の増大や遊技機の構成の複雑化等を極力防止できる。なお、前記生物又は物の頭部を模した絵柄には「龍の頭部」が含まれ、前記出現体には「炎」が含まれる。
【００２２】
手段９．手段８において、前記発光手段は、複数の発光体から構成され、
前記複数の発光体は、前記球案内流路に沿って列状に配設され、前記特定構成部側のものより順に発光するよう構成したことを特徴とする遊技機。
【００２３】
上記手段９によれば、上記発光手段の発光態様を動的なものとしやすく、手段８による効果がさらに高められる。
【００２４】
手段１０．手段８又は手段９において、前記球案内流路の少なくとも一部に設けられ、当該球案内流路を流下する遊技球を検出する検出手段と、
前記検出手段の検出結果に基づき、前記発光手段の発光態様を制御する発光制御手段とを備えたことを特徴とする遊技機。
【００２５】
上記手段１０によれば、検出手段が遊技球を検出する毎に、発光手段の発光態様が制御されるため、上記演出にめりはりがでて、演出効果がさらに高められる。さらに、上記構成により、球案内流路へ遊技球が導入されたことを遊技者に報知することができ、さらなる興趣の向上を図ることができる。
【００２６】
手段１１．手段８乃至手段１０のいずれかにおいて、前記下流構成部における前記胴部を模した絵柄の付された部分が、流下する遊技球を遊技者が視認可能となるよう視認性を有する樹脂により形成され、
前記球案内流路を構成する部分において、遊技球が前記特定構成部及び下流構成部を通過することに基づき、前記頭部より飲み込まれた遊技球が前記胴部を通っていくように遊技者に視認可能となるよう構成したことを特徴とする遊技機。
【００２７】
上記手段１１によれば、球案内流路を構成する部分において、所定の生物又は物の頭部より飲み込まれた遊技球が、当該生物又は物の胴部を通っていくように遊技者に視認させる演出が行われる。このため、遊技者は球案内流路を流下する遊技球を目で追いつつも、前記遊技演出を見ることができ、結果として、遊技者にとっての興趣の飛躍的な向上を図ることができる。なお、前記生物又は物の頭部を模した絵柄には「龍の頭部」が含まれ、前記頭部に連なる胴部を模した絵柄には「龍の胴部」が含まれる。
【００２８】
手段１２．手段１１において、前記下流構成部の少なくとも一部を湾曲又は屈曲させたことを特徴とする遊技機。
【００２９】
上記手段１２によれば、上記構成とすることにより、下流構成部が略直線状に形成されている場合に比べて、遊技球の流下速度をより一定に保ちつつ、遊技球を比較的低速で流下させることができる。このため、遊技球が上記胴部を通っていく様子を遊技者により視認しやすくし、上記演出をより堪能させることができる。結果として、手段１１による効果をさらに高めることができる。なお、「少なくとも一部を湾曲又は屈曲させたこと」には、「蛇行させたこと」が含まれる。
【００３０】
手段１３．手段１１又は手段１２において、前記胴部を模した絵柄が付された部分に対応するように所定の発光手段を備えたことを特徴とする遊技機。
【００３１】
上記手段１３によれば、発光手段を備えることにより、遊技球の視認性を高めることができ、手段１１又は手段１２による効果をさらに高めることができる。
【００３２】
手段１４．遊技盤に特定遊技部材を備え、
前記特定遊技部材は、遊技球を流下させつつ所定部位まで案内可能な球案内流路を備えてなる遊技機であって、
前記特定遊技部材は、所定の発光手段を備えるとともに、当該発光手段の発光を透過可能なように少なくとも特定部位が透光性を有する樹脂により形成され、
前記球案内流路を流下する遊技球を検出する検出手段と、
前記検出手段の検出結果に基づき、前記発光手段の発光態様を制御する発光制御手段とを備えたことを特徴とする遊技機。
【００３３】
上記手段１４によれば、検出手段が遊技球を検出する毎に、特定遊技部材において発光手段よる発光演出を行うことができる。従って、遊技者は球案内流路を流下する遊技球を目で追いつつも、遊技演出を見る機会が増える。結果として遊技者にとっての興趣の飛躍的な向上を図ることができる。さらに、上記構成により、球案内流路へ遊技球が導入されたことを遊技者に報知することができる。
【００３４】
手段１５．手段１４において、前記発光手段は、複数の発光体から構成され、前記複数の発光体は、所定方向に沿って列状に配設され、当該列の所定端部側のものより順に発光するよう構成したことを特徴とする遊技機。
【００３５】
上記手段１５によれば、上記発光手段の発光態様を動的なものとしやすく、演出効果がさらに高められる。例えば、遊技球の流下方向に向かって各発光体を発光させていくような演出を行い、遊技球の流下方向を遊技者に示すとともに、球案内流路へ遊技球が導入されたことを遊技者に報知することができる。
【００３６】
手段１６．手段１４又は手段１５において、前記特定部位に連接される所定部位において、所定の放出体を模した第１の絵柄が付され、前記特定部位において、前記放出体より出現する出現体を模した第２の絵柄が付されていることを特徴とする遊技機。
【００３７】
上記手段１６によれば、前記放出体より前記出現体が出現するような態様の演出が行われることにより、さらなる興趣の向上を図ることができる。なお、前記放出体には「龍の頭部」が含まれ、前記出現体には「炎」が含まれる。
【００３８】
手段１７．手段１乃至手段７のいずれかにおいて、前記遊技盤に、識別情報を変動表示可能な可変表示装置を備え、前記可変表示装置はその周囲を囲むセンターフレームを備え、
前記球案内流路は、前記センターフレームの一部として、その周辺部に設けられたものであることを特徴とする遊技機。
【００３９】
手段１８．手段８乃至手段１６のいずれかにおいて、前記特定遊技部材は、識別情報を変動表示可能な可変表示装置の周囲を囲むセンターフレームであって、前記球案内流路は、前記センターフレームの一部として、その周辺部に設けられたものであることを特徴とする遊技機。
【００４０】
手段１９．手段１乃至手段１８のいずれかにおいて、前記遊技機はパチンコ機であること。中でも、パチンコ機の基本構成としては、操作ハンドルを備えておりそのハンドル操作に応じて遊技球を遊技盤面上に発射させ、遊技球が遊技盤を流下し、遊技盤に配設された入賞手段に入賞することに基づいて、所定条件が成立した場合には特別遊技価値が付与される。
【００４１】
【発明の実施の形態】
以下、パチンコ遊技機（以下、単に「パチンコ機」という）の一実施の形態を、図面に基づいて詳細に説明する。
【００４２】
図１に示すように、パチンコ機１は、外枠２と、該外枠２の前部に設けられ外枠２の一側部にて開閉可能に支持された前面枠３とを備えている。
【００４３】
前面枠３の前面側には、一対のガラス板Ｇ（図５参照）のはめ込まれたガラス扉枠４が開閉自在に設けられている。前面枠３の後側（ガラス扉枠４の奥、外枠２の内側）には、遊技盤５が着脱可能に装着されている。
【００４４】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない遊技球発射装置に連結されており、遊技者がハンドル８を回転させることにより、遊技球Ｂが遊技球発射装置から発射される。
【００４５】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００４６】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００４７】
さて、可変表示装置１４は、液晶表示部２０と、該液晶表示部２０を囲むように設けられた特定遊技部材としてのセンターフレーム２１とを備えている。
【００４８】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００４９】
より詳しくは、可変表示装置１４の下方に設けられた作動チャッカー１３に遊技球Ｂが入賞することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００５０】
また、周知のとおり、前記普通入賞チャッカー１１、可変入賞装置１２、作動チャッカー１３に遊技球Ｂが入賞することに基づいて、上皿６又は下皿７に対し所定数の景品球（遊技球Ｂ）が払い出される。また、遊技盤５には、遊技球Ｂの流下方向を適宜分散、調整等するために多数の釘Ｋ（図１，５参照、但し便宜上、図１では符号を省略する）が植設されているとともに、風車等の各種部材（役物）が配設されている。上記釘や風車等によって本実施の形態における案内手段が構成される。
【００５１】
また、パチンコ機１の背面側には、図示しない各種制御装置（制御基板）が取着されている。例えば、図示しない主基板やランプ制御基板等が設けられている。なお、ランプ制御基板は、後述するＬＥＤ等の電飾部材を制御するものである。従って、当該ランプ制御基板により、前記電飾部材は、遊技状態の変化に応じて点灯、点滅のようにその発光態様が変更制御され遊技中の演出効果を高める役割を果たすようになっている。
【００５２】
次に、上述した可変表示装置１４のセンターフレーム２１について説明する。図２乃至図５に示すように、センターフレーム２１は、遊技盤５の前面側に配設される前ベース枠２２と、遊技盤５の背面側に配設される後ベース枠２３とを備えている。
【００５３】
前ベース枠２２及び後ベース枠２３はそれぞれ中央部が開口した枠体形状をなし、両ベース枠２２，２３が組付けられることによって、センターフレーム２１は全体として前後方向に貫通した枠体形状となっている。
【００５４】
前ベース枠２２の背面側には背壁部２４が形成され、その中央部には略矩形状の窓部２５が形成されている。後ベース枠２３の背面側にも、背壁部２６が形成され、その中央部には液晶表示部２０に対応した略矩形状の窓部２７が形成されている。窓部２７周辺となるセンターフレーム２１の背面側（前ベース枠２２及び後ベース部２３の背面側）より、後述する各種電飾部材が各種基板とともに取着されている。
【００５５】
後ベース枠２３の前面側の開口周面部２８は、下辺部を除き、前記窓部２５と略同一形状に形成され、両ベース枠２２，２３が組付けられた状態では、窓部２５及び開口周面部２８の上辺部及び左右両側辺部がそれぞれ面一となる。なお、本実施の形態では、開口周面部２８の下辺部が窓部２５の下辺部より低位置となるように構成されている。これは後述する後方ステージ部材７１を組付け易くするためであって、両下辺部が略同一形状となるように構成してもよい。
【００５６】
前ベース枠２２の上梁部３０は、その上周縁部が略円弧状となっており、その左右方向の中央部が左右両端部より高くなっている。また、上周縁部の左右両側には、当該上周縁部より前面側に向けて突出する一対の左右天井部３１，３２がそれぞれ一体的に設けられている。なお、前ベース枠２２の上梁部３０、下梁部６６、及び、左右両側辺部３４，３５の周縁部によって、遊技盤５の前面側に当接する基部としてのいわゆるフランジ部が構成される。
【００５７】
上梁部３０の前面側には上部流路部材３６が取着されている。上部流路部材３６は前ベース枠２２の背面側よりネジ２００，２０１により固定されている。上部流路部材３６は、透光性を有する樹脂（但し、本実施の形態では赤色に着色されている。）により形成され、全体として上に凸となる略円弧形状をなし、その左右方向の中央部が左右両側部より高くなっている。上部流路部材３６は、左右天井部３１，３２にほぼ並行するように形成された底部３７と、底部３７の前面側端部より上方へ延設された前面壁３８とを有している。前面壁３８には、「炎」を模した絵柄Ｄ１が付されている。但し、本実施の形態では、「炎」を模した絵柄Ｄ１は、上部流路部材３６の成型時に前面壁３８に「炎」を象った凹凸形状が形成されることにより付される。「炎」を模した絵柄Ｄ１は、本実施の形態における第２の絵柄又は出現体を模した絵柄を構成する。
【００５８】
底部３７の左右方向の中央部には、当該底部３７を左右に仕切る仕切部３９が設けられている。左右両天井部３１，３２と底部３７との間隔、及び、上梁部３０の前面と前面壁３８との間隔は少なくとも遊技球Ｂが通過可能な大きさに構成されている。これにより、センターフレーム２１の上部には、遊技盤５上を流下してくる遊技球Ｂを上梁部３０の略中央部から導入し、左又は右側方へ案内することのできる上部流路４０が形成される（図４参照）。上部流路４０は、本実施の形態における球案内流路の一区間を構成し、前面壁３８は連接構成部又は上流構成部を構成する。
【００５９】
なお、底部３７は、左右天井部３１，３２とほぼ並行するように形成されているとはいっても、中央部から左右方向に向けて徐々にその傾斜角度が変化していくようには形成されておらず、その傾斜角度が段階的に変化していくように構成されている。従って、傾斜の緩やかな部分が比較的多くなり、上部流路４０へ導入された遊技球Ｂは、その転動速度が比較的速くならないように左右方向へと案内される。
【００６０】
上梁部３０の前面側には、上部流路部材３６の下方において、図示しないＬＥＤ用の第１レンズ４１が設けられている。第１レンズ４１の本体部は、上辺部の左右方向の長さより下辺部の長さが短くなった正面略台形状に形成されている。また、第１レンズ４１の上部周辺の形状と、上部流路部材３６の中央下部の形状とが略同一となっており、第１レンズ４１は上部流路部材３６の中央下部に背面側より嵌入されている。第１レンズ４１の左右両端部に突起部４１ａが形成されるとともに、上部流路部材３６の背面側には突起部４１ａに対応する図示しない受部が形成されている。従って、上部流路部材３６により第１レンズ４１が係止され、これにより第１レンズ４１の前方及び下方への抜け落ちが防止されている。
【００６１】
また、上記背壁部２４の上辺部の前面側には、第１レンズ４１の下方においてＬＥＤ用の第２レンズ４２が設けられている。第２レンズ４２は、取付枠４３とともに組付けられている。第２レンズ４２は、複数のＬＥＤ等に対応するように複数の箱形レンズ４４（本実施の形態では４つ）が連接された構成となっている。取付枠４３には各箱形レンズ４４の形状に対応した複数の貫通孔４５が形成されており、各箱形レンズ４４が各貫通孔４５に対し、取付枠４３の背面側より嵌入されている。
【００６２】
第２レンズ４２の左右両端部に突起部４２ａが形成され、取付枠４３の背面側には突起部４２ａに対応する図示しない受部が形成されている。これにより、取付枠４３により第２レンズ４２が係止される。さらに、取付枠４３の左右両端部近傍に突起部４３ａがそれぞれ形成され、上梁部３０には、突起部４３ａに対応するように前後方向に延びる溝４６が設けられている。そして、突起部４３ａにが溝４６へそれぞれ前面側より差し込まれることにより、取付枠４３及び第２レンズ４２が前ベース枠２２に組付けられている。これにより、取付枠４３ひいては第２レンズ４２の下方への抜け落ちが防止されている。
【００６３】
また、上部流路部材３６の背面側に突起部４３ａに対応する図示しない受部が形成されている。これにより、上部流路部材３６により取付枠４３が係止され、取付枠４３ひいては第２レンズ４２の前方への抜け落ちが防止されている。
【００６４】
さて、上記左右両側辺部３４，３５の内周面側には、一対の側部流路部材５０，５１がそれぞれ設けられている。側部流路部材５０，５１は、視認性を有する樹脂（但し、本実施の形態では所定色に着色されている。）により形成され、横方向の断面形状が凹型であって、左右両側辺部３４，３５の内周面に沿って上下方向に延びた形状となっている。側部流路部材５０，５１は、それぞれ凹型開口部が背面側を向いている。なお、左右両側辺部３４，３５の内周面には上下方向に沿って起伏が設けられており、当該起伏に対応するように側部流路部材５０，５１は波形に曲折した形状（少なくとも一部が湾曲又は屈曲した形状）となっている。
【００６５】
側部流路部材５０，５１には、上端部においてそれぞれ突片５０ａ，５１ａが形成され、下端部において突片５０ｂ，５１ｂがそれぞれ形成されている。また、上記上梁部３０には、突片５０ａ，５１ａに対応するように前後方向に延びる溝５２が設けられ、同様に上記左右両側辺部３４，３５の下端部には突片５０ｂ，５１ｂに対応する溝５４が設けられている。そして、突片５０ａ，５１ａが溝５２へ、及び、突片５０ｂ，５１ｂが溝５４へそれぞれ前面側より差し込まれることにより、側部流路部材５０，５１が前ベース枠２２に組付けられている。
【００６６】
左右両側辺部３４，３５の前面側と側部流路部材５０，５１の前面側とが面一となっている。また、側部流路部材５０，５１の前面部には、「龍の胴部」を模した絵柄Ｄ２（鱗模様）が付されている。側部流路部材５０，５１の前面部は、本実施の形態における下流構成部を構成し、「龍の胴部」を模した絵柄Ｄ２は、「生物又は物の頭部に連なる胴部を模した絵柄」を構成する。但し、本実施の形態では、「龍の胴部」を模した絵柄Ｄ２は、側部流路部材５０，５１の成型時にその前面部に「龍の胴部」を象った凹凸形状が形成されることにより付される。
【００６７】
側部流路部材５０，５１の内側は、少なくとも遊技球Ｂが通過可能な大きさに構成されている。側部流路部材５０，５１は、その凹型開口部の端部が上記背壁部２４の左右両側辺部にそれぞれ当接している。これにより、側部流路部材５０，５１及び背壁部２４の左右両側部によって、遊技球Ｂを流下させる側部流路５３がセンターフレーム２１の左右両側部に形成される（図４、５参照）。側部流路５３は、本実施の形態における球案内流路の一区間を構成し、側部流路部材５０，５１の構成により蛇行した構成となる。また、上述してきた構成により、上記上部流路４０と側部流路５３とは、パチンコ機１に対して、前後方向の位置関係が異なるよう構成されていると言える。
【００６８】
側部流路部材５０，５１の上端部の前面側にはそれぞれ上開口部６０が形成されている。上梁部３０の前面側には、各上開口部６０に対応するように、左右両端部近傍において傾斜部６１が設けられている。各傾斜部６１は、上部流路部材３６の左右両端部から前記各上開口部６０に向けて傾斜している。
【００６９】
側部流路部材５０，５１の前面側上部には肩カバー６３，６４がそれぞれ取着されている。各肩カバー６３，６４は、それぞれ各開口部６０の前方、上部流路部材３６の左右両端部、及び、傾斜部６１を覆っている。なお、各肩カバー６３，６４には、それぞれ上部流路部材３６側において、突起部６３ａ，６４ａが形成され、上部流路部材３６の背面側には各突起部６３ａ，６４ａに対応する図示しない受部が形成されている。これにより、上部流路部材３６により各肩カバー６３，６４が係止され、肩カバー６３，６４の前方への抜け落ちが防止される。各肩カバー６３，６４の背面側には、それぞれ図示しない係合部が形成され、当該各係合部はそれぞれ各上開口部６０に係合されるようになっている。
【００７０】
なお、各肩カバー６３，６４の前面部には、「龍の頭部」を模した絵柄Ｄ３が付されている。各肩カバー６３，６４における「龍の頭部」を模した絵柄Ｄ３は、それぞれ「龍の頭部」が上部流路部材３６に向けて口を開けた態様の絵柄となっている。但し、本実施の形態では、「龍の頭部」を模した絵柄Ｄ３は、各肩カバー６３，６４の成型時にその前面部に「龍の頭部」を象った凹凸形状が形成されることにより付される。肩カバー６３，６４の前面部は、本実施の形態における特定構成部を構成し、「龍の頭部」を模した絵柄Ｄ３は、「放出体を模した絵柄」又は「生物又は物の頭部を模した絵柄」を構成する。
【００７１】
各肩カバー６３，６４の背面側には遊技球Ｂが通過可能な流路６３ｂ，６４ｂが形成されている（図４参照）。流路６３ｂ，６４ｂは本実施の形態における球案内流路の一区間を構成する。この流路６３ｂ，６４ｂの前面側の壁面は、上記傾斜部６１とほぼ並行するように形成されている。つまり、流路６３ｂ，６４ｂは、少なくとも上記上部流路４０の前面側壁部から、上記側部流路５３の前面壁へと傾斜する内壁部を有する。従って、流路６３ｂ，６４ｂによって上部流路４０と側部流路５３とが、遊技球Ｂが通過可能に連通する。上部流路４０、側部流路５３、及び、流路６３ｂ，６４ｂによって本実施の形態における球案内流路が構成される。
【００７２】
また、上梁部３０には、上部流路４０に沿って、複数の取付孔４４０を介して複数のＬＥＤ４００ａ，４００ｂ，４００ｃ（図６参照）が列状に取着されている。ＬＥＤ４００ａ，４００ｂ，４００ｃは、上記「炎」を模した絵柄Ｄ１の部分を介して遊技者がその発光を視認可能となるように配設されている。
【００７３】
背壁部２４の左右両側辺部には、側部流路５３に沿って、複数の取付孔４５０を介して複数のＬＥＤ５００ａ，５００ｂ，５００ｃ，５００ｄ（図６参照）が列状に取着されている。ＬＥＤ５００ａ，５００ｂ，５００ｃ，５００ｄは、「龍の胴部」を模した絵柄Ｄ２の部分を介して遊技者がその発光を視認可能となるように配設されている。
【００７４】
複数のＬＥＤ４００ａ，４００ｂ，４００ｃ、及び、複数のＬＥＤ５００ａ，５００ｂ，５００ｃ，５００ｄはそれぞれ本実施の形態における発光手段を構成し、各ＬＥＤ４００ａ〜４００ｃ及び５００ａ〜５００ｄはそれぞれ本実施の形態における発光体を構成する。
【００７５】
本実施の形態では、上記ランプ制御基板により、複数のＬＥＤ４００ａ，４００ｂ，４００ｃ、及び、複数のＬＥＤ５００ａ，５００ｂ，５００ｃ，５００ｄが、常時、点灯や点滅を繰り返すように制御されている。
【００７６】
一方、側部流路部材５０，５１の下部には、相対向する面において、下開口部６５が形成されている。これにより、前ベース枠２２の下梁部６６の上面部６７へ側部流路５３から遊技球Ｂが排出されるようになっている。上面部６７は本実施の形態における所定部位を構成する。
【００７７】
上面部６７は、左右方向に沿って湾曲しており、凹型の（下に凸となる）略円弧状となっている。その左右方向の略中央部には、遊技球Ｂを上記作動チャッカー１３の方へ誘導可能な誘導溝６８が形成されている。誘導溝６８の左右両側部には前方へ傾斜した排出傾斜部６９が形成されいる。
【００７８】
下梁部６６の上方には後方ステージ部材７１が設けられている。後方ステージ部材７１は、半透明の樹脂等により成形され、遊技球Ｂの転動を許容する後方ステージ部７２と、上記上面部６７上の遊技球Ｂを視認可能とする視認部７３とを有する。
【００７９】
後方ステージ部７２は、左右方向に沿って湾曲しており、パチンコ機１の正面から見て凹型の略円弧状となっている。後方ステージ部７２は、その左右両端部がそれぞれ上記左右両側辺部３４，３５に達するまで左右方向に拡がっている。また、後方ステージ部７２の後端部は上記背壁部２４の前面に当接している。
【００８０】
なお、後方ステージ部７２の左右両端部にはそれぞれ突片７２ａが形成され、これに対応するように、前ベース枠２２においては、窓部２５の左右両側辺の下端部に溝７５がそれぞれ設けられ、後ベース枠２３においては、開口周面部２８の左右両側辺の下端部に溝７６がそれぞれ設けられている。さらに、後方ステージ部７２の後端部の略中央部には突片７２ｂが形成され、これに対応するように、背壁部２６には嵌入孔７７が形成されている。そして、各突片７２ａがそれぞれ溝７５，７６へ前面側より差し込まれるとともに、突片７２ｂが嵌入孔７７に嵌合されることにより、後方ステージ部７２が両ベース枠２２，２３に組付けられている。
【００８１】
後方ステージ部７２の左右方向の中央部には、前方に向けて下方へ比較的緩やかに傾斜した傾斜面７８が設けられている。傾斜面７８は比較的左右の幅が広く、その中央部には上記作動チャッカー１３の方へ遊技球Ｂを誘導可能な誘導路７９が形成されている。誘導路７９の上流側の端部近傍には、その左右両側において一対の傾斜突部８０，８１が誘導路７９に沿って設けられている。各傾斜突部８０，８１は、それぞれ誘導路７９側に向けて上方へ傾斜している。各傾斜突部８０，８１の前後方向の幅は少なくとも遊技球Ｂの径より広くなっている。
【００８２】
後方ステージ部７２の左右両側部には、左右方向へ延在する一対のリブ８２，８３が設けられている。各リブ８２，８３の前後方向の位置は傾斜突部８０，８１の前面側端部に対応している。すなわち、背壁部２６と各リブ８２，８３との間隔が遊技球Ｂの径より広くなっている。また、各リブ８２，８３の高さは、遊技球Ｂの転動速度によっては、遊技球Ｂが当該リブ８２，８３を乗り越えることができるような比較的低くなっている。
【００８３】
さて、上記視認部７３は、後方ステージ部７２の前面側端部より下方へ延設されている。視認部７３の前面は、下梁部６６及び両側部流路部材５０，５１と略面一となるように構成されている。視認部７３の下端部は、少なくとも左右両端部近傍において下梁部６６と当接している。また、下端部の略中央部には誘導溝６８及び排出傾斜部６９に対応するように凹部８５が形成されており、誘導溝６８又は排出傾斜部６９からの遊技球Ｂの導出又は排出を可能とする。
【００８４】
後方ステージ部材７１の前方には前方ステージ部材９０が連接されている。前方ステージ部材９０は、その上面に前方ステージ部９３を有する。
【００８５】
前方ステージ部材９０は、左右方向に沿って湾曲しており、全体として下に凸となる略円弧形状となっている。なお、本実施の形態では、前方ステージ部材９０は樹脂により形成されている。
【００８６】
前方ステージ部材９０の前後方向の幅は少なくとも遊技球Ｂの径より広くなっている。前方ステージ部材９０の左右両端部は、その左右方向における位置が上記左右両側辺部３４，３５の各左右端部とほぼ同じ位置となっている（若干、外方へ突出している）。本実施の形態では、上記視認部７３の前後方向の位置が、遊技盤５の前面とほぼ同じ位置となっている。従って、前方ステージ部材９０は、そのほぼ全体が遊技盤５面より前方へ突出した状態となっている。前方ステージ部材９０の前端部は、前後方向に対して上記複数の釘Ｋの前端部とほぼ同位置まで達している。
【００８７】
前方ステージ部材９０の左右両端部には、それぞれ中空状のクッション部９１，９２が設けられている。クッション部９１，９２の中空部はその左右方向の断面形状が略平行四辺形状となっており、その上面部は当該前方ステージ部材９０の中央部に向けて下方へ傾斜している。また、前方ステージ部材９０の左右両端部は遊技盤５に対して開放されており、ここからクッション部９１，９２へ遊技球Ｂが導入可能となっている。
【００８８】
両クッション部９１，９２に挟まれた前方ステージ部９３は上記後方ステージ部７２と略面一となっている。前方ステージ部９３には、各クッション部９１，９２の左右方向の内側において誘導部としての一対の誘導リブ９４，９５が設けられている。誘導リブ９４，９５は、各クッション部９１，９２の前面側端部より前方ステージ部材９０の背面方向に向けて湾曲し、その先端部近傍は後方ステージ部７２の略対角線上にある上記リブ８２，８３の先端部近傍に向けて略直線状に延びている。
【００８９】
さらに、前方ステージ部９３には、その左右方向の中央部において落下孔９７が設けられている。落下孔９７の左右方向の長さは上記傾斜面７８の左右方向の長さに対応している。なお、これらの左右方向の長さは、遊技球Ｂの複数個分の長さ又はそれ以上となるように構成されている。
【００９０】
落下孔９７の左右方向の中央部には、上下方向に沿って一対の仕切板９８，９９が上記誘導路７９に対応して設けられている。一対の仕切板９８，９９によって、作動チャッカー１３の直上方に誘導孔１００が形成される。
【００９１】
なお、前方ステージ部材９０の背面側には図示しない一対の突起部が形成され、これに対応するように、上記視認部７３には前記突起部が嵌入される一対の嵌入孔１０１，１０２が形成されている。これにより、前方ステージ部材９０は後方ステージ部材７１に組付けられている。また、前方ステージ部材９０は前ベース部材２２の背面側より上ネジ２０３，下ネジ２０４により固定されている。
【００９２】
ここで、センターフレーム２１の組付け順序について説明する。但し、センターフレーム２１の背面側におけるＬＥＤ４００ａ等の組付けについては便宜上その説明を省略する。
【００９３】
まず、第２レンズ４２を取付枠４３に組付けるとともに、この取付枠４３を上梁部３０下部に組付ける。また、下梁部６６に後方ステージ部材７１を組付ける。続いて、側部流路部材５０，５１を左右両側辺部３４，３５にそれぞれ組付ける。
【００９４】
次に、肩カバー６３，６４をそれぞれ組付ける。そして、予め第１レンズ４１を組付けた上部流路部材３６を組付け、前ベース枠２２の背面側からネジ止めする。また、前方ステージ部材９０を後方ステージ部材７１に組付け、前ベース部材２２の背面側よりネジ止めする。そして最後に、前ベース枠２２と後ベース枠２３とを組付ける。
【００９５】
次に、上記のように構成されてなる本実施の形態の作用及び効果について説明する。
【００９６】
本実施の形態によれば、遊技者の操作により、遊技盤５上部に打ち込まれた遊技球Ｂは、センターフレーム２１上部から上部流路４０へ案内される場合がある。この遊技球Ｂは、当該上部流路４０に沿って流路６３ａ（６４ａ）へと流下する。この際、流下する遊技球Ｂを目で追う遊技者等には、ＬＥＤ４００ａ，４００ｂ，４００ｃの発光が上記「炎」を模した絵柄Ｄ１の部分を介して視認される。つまり、遊技者には、「龍の頭部」を模した絵柄Ｄ３の口の部分から「炎」を模した絵柄Ｄ１が放出される（出現する）又は放出されている（出現している）かのように視認されることとなる。なお、ＬＥＤ４００ａ，４００ｂ，４００ｃの発光態様は、周期的に、肩カバー６３，６４側のものより順に（４００ｃ、４００ｂ、４００ａの順に）発光する態様となっている。これにより、龍の口から炎が吐かれるように視認させる演出によりリアリティを与えることができる。
【００９７】
流路６３ａ（６４ａ）へと流下した遊技球Ｂは側部流路５３へと導かれ、当該側部流路５３を通って、下梁部６６の上面部６７へ案内される。
【００９８】
この際、流下する遊技球Ｂを目で追う遊技者等には、「龍」の口より飲み込まれた遊技球Ｂが、「龍の胴部」内を通っていくように遊技者に視認されることとなる。
【００９９】
そして、上面部６７へ案内された遊技球Ｂは上面部６７に沿って転動し、誘導溝６８又は排出傾斜部６９から遊技盤５へと導出される。このうち誘導溝６８に沿って導出される遊技球Ｂは比較的高い確率で作動チャッカー１３へと導かれる。なお、遊技者は、上面部６７における遊技球Ｂの挙動を、視認部７３を介して視認することができる。
【０１００】
さて、遊技盤５を流下する一部の遊技球Ｂは、上記釘Ｋ等によって、前方ステージ部材９０へ案内される場合がある。詳しくは、センターフレーム２１の左側（又は右側）を流下する遊技球Ｂが、前方ステージ部材９０の左側（右側）端部よりクッション部９１（９２）へと案内される。この遊技球Ｂの流下してきた勢いは、ある程度クッション部９１（９２）によって吸収される。
【０１０１】
そして、この遊技球Ｂはクッション部９１（９２）の傾斜に沿って転動する。クッション部９１（９２）を通過すると、遊技球Ｂは前方ステージ部９３を下りつつ、誘導リブ９４（９５）に沿って転動する。
【０１０２】
遊技球Ｂは、誘導リブ９４（９５）の上記形状に基づいて転動方向を変化させていき、当該誘導リブ９４（９５）を通過すると、後方ステージ部７２の略対角線上にあるリブ８３（８２）の先端部近傍に向けて転動していく。
【０１０３】
ここで、遊技球Ｂは、クッション部９１（９２）及び前方ステージ部９３の傾斜によって十分に加速されているため、傾斜面７８及び誘導路７９において、その緩やかな傾斜に沿って手前側に転動することがほとんどなく、傾斜面７８及び誘導路７９を通過することができる。
【０１０４】
遊技球Ｂは、傾斜面７８及び誘導路７９を通過すると、リブ８３（８２）の先端部の先から背壁部２６へと到達する。また、遊技球Ｂは、傾斜面７８及び誘導路７９の形状によって、その転動方向を若干変えられてリブ８３（８２）に向かって転動していったとしても、リブ８３（８２）を乗り越え背壁部２６へと到達することができることもある。
【０１０５】
背壁部２６へと到達した遊技球Ｂは、当該背壁部２６によって転動方向を後方ステージ部７２の外方へと変化させられ、当該背壁部２６に沿って開口周面部２８の右側辺部（左側辺部）へと転動する。ここで、勢い余って背壁部２６から前面側へ跳ね返ってくる遊技球Ｂも、リブ８３（８２）によって前面側への動きを規制されつつ、前記右側辺部（左側辺部）へと転動する。
【０１０６】
遊技球Ｂは、前記右側辺部（左側辺部）へと到達すると、当該右側辺部（左側辺部）で跳ね返ることによって（又は転動を停止させられ、後方ステージ部７２の傾斜によって）、その転動方向を反転させる。
【０１０７】
そして、遊技球Ｂは、リブ８３（８２）によって前面側への動きを規制されつつ、後方ステージ部７２の傾斜に沿って傾斜突部８１（８０）へ向けて転動する。
【０１０８】
遊技球Ｂは、傾斜突部８１（８０）へ到達すると、当該傾斜突部８１（８０）の傾斜によってその転動速度が減速されつつ、傾斜突部８１（８０）を上っていく。
【０１０９】
傾斜突部８１（８０）を上りきった遊技球Ｂは、誘導路７９へ落下する。そして、遊技球Ｂは誘導路７９に沿って転動し、誘導孔１００を通過し、作動チャッカー１３の方へと導かれる。上述したように誘導孔１００が作動チャッカー１３の直上方に設けられているため、遊技球Ｂは比較的高い確率で作動チャッカー１３に入賞する。
【０１１０】
一方、傾斜突部８１（８０）を上りきらない遊技球Ｂは、傾斜面７８に沿って前面側へ転動し、落下孔９７を通って遊技盤５上へ排出される。
【０１１１】
以上詳述したように、 上部流路４０に沿って流路６３ａ（６４ａ）へと流下する遊技球Ｂを目で追う遊技者等には、「龍の頭部」を模した絵柄Ｄ３の口の部分から「炎」を模した絵柄Ｄ１が放出される（出現する）かのような、上記発光手段の発光態様に基づいた動的演出が視認される。
【０１１２】
また、流路６３ａ（６４ａ）及び側部流路５３を流下する遊技球Ｂを目で追う遊技者等には、龍の口より飲み込まれた遊技球Ｂが、当該龍の胴部内を通っていくような、遊技球の流下に基づいた動的演出が視認される。
【０１１３】
従って、上記球案内流路を構成する部分において、遊技者は球案内流路を流下する遊技球Ｂを目で追いつつも、遊技演出を見る機会が増え、結果として、遊技者にとっての興趣の飛躍的な向上を図ることができる。また、球案内流路を構成する部材や発光手段等を利用して上記動的演出を行っているため、新たに部材や駆動機構等を設けずともよく、部品点数の増大や遊技機の構成の複雑化等を極力防止できる。
【０１１４】
さらに、側部流路５３が蛇行するよう構成されているため、遊技球Ｂの流下速度をより一定に保ちつつ、遊技球Ｂを比較的低速で流下させることができる。このため、遊技球Ｂが龍の胴部を通っていく様子を遊技者により視認しやすくし、上記演出をより堪能させることができる。さらに側部流路５３に沿って、ＬＥＤ５００ａ〜５００ｄが配設されていることから、遊技球Ｂの視認性が高められている。
【０１１５】
尚、上述した実施の形態の記載内容に限定されず、例えば次のように実施してもよい。
【０１１６】
（ａ）上記実施の形態に限らず、上記球案内流路の少なくとも一部に設けられ、当該球案内流路を流下する遊技球Ｂを検出する検出手段を備え、当該検出手段の検出結果に基づき、上記ランプ制御基板が上記発光手段の発光態様を制御する構成としてもよい。例えば、前記検出手段が遊技球Ｂを検出する毎に、ＬＥＤ４００ａ，４００ｂ，４００ｃの発光態様を制御するようにすれば、上記演出にめりはりがでて、演出効果がさらに高められる。さらに、上記構成とすることにより、球案内流路へ遊技球Ｂが導入されたことを遊技者に報知することができ、さらなる興趣の向上を図ることができる。
【０１１７】
（ｂ）上記実施の形態において、前面壁３８、肩カバー６３，６４、及び、側部流路部材５０，５１に付されている絵柄Ｄ１〜Ｄ３は、「龍」に関連する絵柄となっているが、これに限らず、絵柄Ｄ２，Ｄ３に代わるものとして「カメレオン」の頭部，胴部を模した絵柄を、絵柄Ｄ１に代わるものとして「カメレオン」の舌を模した絵柄をそれぞれ採用するようにしてもよい。また、生物に関連したものではなく、「物」に関連した絵柄例えばロボット等の絵柄を採用してもよい。
【０１１９】
（ｄ）上部流路４０、流路６３ａ（６４ａ）及び側部流路５３のうち少なくとも１つを省略した構成としてもよい。また、上部流路４０、流路６３ａ（６４ａ）及び側部流路５３を一体形成した構成としてもよい。
【０１２０】
（ｅ）上記実施の形態では、液晶表示部２０の周囲を囲むセンターフレーム２１を特定遊技部材としたが、他の役物を囲むものを特定遊技部材としてもよい。また、上記球案内流路だけが遊技盤５に設けられた構成としてもよい。
【０１２１】
（ｆ）上記実施の形態では、可変表示装置１４の表示部として液晶表示部２０を採用している。しかし、これに限らず、他にも、ＣＲＴ、ドットマトリックス、ＬＥＤ（エレクトロルミネッセンス）、蛍光表示管等を可変表示装置１４の表示部として用いてもよい。
【０１２２】
（ｇ）上記実施の形態とは異なるタイプのパチンコ機にも適用してもよい。従って、可変表示装置１４のないパチンコ機にも応用できる。また、本発明は、パチンコ機以外にも雀球、アレンジボール等の遊技機にも応用可能である。
【０１２３】
（ｈ）上記実施の形態では、球案内流路（上部流路４０、流路６３ａ（６４ａ）及び側部流路５３）に沿った部分において、ＬＥＤ４００ａ等による演出が行われるように構成されている。これに限らず、上記球案内流路から離れた特定部位においてＬＥＤ等の発光手段を備えるとともに、前記球案内流路を流下する遊技球Ｂを検出する検出手段を備え、当該検出手段の検出結果に基づき、上記ランプ制御基板が上記発光手段の発光態様を制御するよう構成し、上記球案内流路から離れた部位において発光演出を行うようにしてもよい。
【図面の簡単な説明】
【図１】一実施の形態におけるパチンコ機を示す正面図である。
【図２】センターフレームを示す斜視図である。
【図３】センターフレームを示す分解斜視図である。
【図４】センターフレームを示す正面図である。
【図５】前方ステージ部，後方ステージ部等を説明するための図１におけるＡ−Ａ線部分断面図である。
【図６】上部流路部材、肩カバー、側部流路部材等を説明するためのセンターフレームの部分拡大図である。
【符号の説明】
１…遊技機としてのパチンコ機、５…遊技盤、１３…作動チャッカー、１４…可変表示装置、２０…液晶表示部、２１…特定遊技部材としてのセンターフレーム、２２…前ベース枠、２３…後ベース枠、３０…上梁部、３１，３２…左右両天井部、３６…上部流路部材、３７…底部、３８…連接構成部又は上流構成部を構成する前面壁、３９…仕切部、４０…球案内流路の一区間を構成する上部流路、４１…第１レンズ、４２…第２レンズ、３４，３５…左右両側辺部、５０，５１…下流構成部を構成する側部流路部材、５３…球案内流路の一区間を構成する側部流路、６３，６４…特定構成部を構成する肩カバー、６３ａ，６４ａ…球案内流路の一区間を構成する流路、６６…下梁部、６８…誘導溝、６９…排出傾斜部、７１…後方ステージ部材、７２…後方ステージ部、７３…視認部、７８…傾斜面、７９…誘導路、８０，８１…傾斜突部、８２，８３…リブ、９０…前方ステージ部材、９１，９２…クッション部、９３…前方ステージ部、９４，９５…誘導リブ、９７…落下孔、９８，９９…仕切板、１００…誘導孔、４００ａ，４００ｂ，４００ｃ…発光手段，発光体を構成するＬＥＤ、５００ａ，５００ｂ，５００ｃ…発光手段，発光体を構成するＬＥＤ、Ｂ…遊技球、Ｄ１〜Ｄ３…絵柄。
【図１】
0004010252.tif 000002
【図２】
0004010252.tif 000003
【図３】
0004010252.tif 000004
【図４】
0004010252.tif 000005
【図５】
0004010252.tif 000006
【図６】
0004010252.tif 000007